(57)【要約】      （修正有）【課題】防水強化の絶縁端子の提供。【解決手段】端子本体２１の一段が絶縁層２２で被覆され、並びにこの段が後段と画定され、絶縁層で被覆されていない露出段が前段と画定される。また後段に後方に向けて圧線段が延伸され、端子本体後段に穿孔が設けられ、該絶縁層の乾燥固化前のプラスチック材料が端子本体後段の穿孔に充填され、並びに端子本体後段表面を被覆し、乾燥固化後に強固な結合を形成し、特に、絶縁層に端子本体の後段に対応する少なくとも二つの離間した第１リブ２２１と第２リブ２２２が形成され、第１リブと第２リブの間に凹んだネック溝２２３が形成され、該第１リブと該第２リブとネック溝の外縁に、水分の外部からのしみ込みを防止する曲折経路が設けられ、二つの凸縁の重複、綿密な隔離によりしみ込み防止の安全効果が強化された。【選択図】図２
0003113104.tif 000002
【実用新案登録請求の範囲】
【請求項１】
端子本体の一段が絶縁層で被覆され、この段が後段と画定され、絶縁層で被覆されていない露出段が前段と画定され、別に、後段より後方に圧線段が延伸され、また、端子本体の後段に穿孔が設けられ、且つプラスチック材料が端子本体後段の穿孔に充填され、並びに端子本体後段表面を被覆し、乾燥固化後に安定した結合を形成した防水強化の絶縁端子において、
該絶縁層に端子本体の後段に対応し、少なくとも二つの離間した第１リブと第２リブが形成され、第１リブと第２リブの間に、少なくとも一つの凹んだネック溝が形成され、第１リブと第２リブとネック溝の外縁に、水分の外部からのしみ込みを防止する曲折経路が形成されたことを特徴とする、防水強化の絶縁端子。
【考案の詳細な説明】
【技術分野】
【０００１】
本考案は一種の防水強化の絶縁端子に係り、特に絶縁端子の使用中に、液体のプラグ内部へのしみ込みを防止し、電線引火の事故を引き起こす一種の事故防止設計に関する。
【背景技術】
【０００２】
一般に日常生活と工業運転、電器或いは電気用具の使用は、その交流電気の電力ソースは、電気プラグとコンセントの接合により、並びに電流が電器或いは電気用具に送られる。プラグを使用する場所は非常に広く、湿った環境でも電器設備があるためプラグの使用が必要である。これにより湿った水分子が往々にして端子本体外縁とプラグケースの挿入孔内にしみ込む。このためにプラグの使用は往々にして運転中の機器或いは操作中のシステムの安全に関係し、水分がしみ込むと故障が発生して危険を発生する恐れがあり、プラグ装置の浪費だけでなく突発性の工業安全或いは環境保護問題を形成しうる。
【０００３】
ゆえに、水のしみ込みの防止はプラグの重要な研究課題であり、周知の設計者はこれに対して、図１に示されるような絶縁端子１を提出した。それは端子本体１１の外縁に保護スリーブ１２が設置され、該保護スリーブ１２は中間に中空部１２１が形成され、且つ該中空部１２１は端子本体１１に対応する形状に形成される。保護スリーブ１２が挿嵌されるが、この保護スリーブ１２には以下のような基本的な問題が存在する。
１．このような保護スリーブは付加部品に属し、それと端子本体の結合は付加嵌合の状態であり、このためその生産コストは高く、別に型を形成してこの保護スリーブを製造する必要がある。
２．このような保護スリーブは付加部品とされ、それは基本的に端子本体と分離可能な二物とされ、密着性が不良で、位置決め性に欠如し、即ち滑り落ちる恐れがあり、それと端子本体が組み合わされた後、後工程の圧線成形作業過程中に、脱落しやすく、生産の不順調或いは製品の不良率が高くなる。
【考案の開示】
【考案が解決しようとする課題】
【０００４】
本考案は防水強化の絶縁端子を提供することを目的とし、本考案の設計により、プラグが水分のしみ込みを防止でき、安全性を高めることができるものとする。
【０００５】
本考案が従来の技術の問題を解決するために使用する技術手段は、防水強化の絶縁端子を設計することにあり、その端子本体の一段が絶縁層で被覆され、並びにこの段が後段と画定され、絶縁層で被覆されていない露出段が前段と画定される。また端子本体後段に穿孔が設けられ、該絶縁層の乾燥固化前のプラスチック材料が端子本体後段の穿孔に充填され、並びに端子本体後段表面を被覆し、乾燥固化後に強固な結合を形成する。本考案では特に、絶縁層に端子本体の後段に対応して少なくとも二つの離間した第１リブと第２リブが形成され、第１リブと第２リブの間に少なくとも一つの凹んだネック溝が形成され、該第１リブと該第２リブとネック溝の外縁に、水分の外部からのしみ込みを防止する曲折経路が設けられ、水分の外部からのしみ込み防止の安全効果が達成される。
【課題を解決するための手段】
【０００６】
請求項１の考案は、端子本体の一段が絶縁層で被覆され、この段が後段と画定され、絶縁層で被覆されていない露出段が前段と画定され、別に、後段より後方に圧線段が延伸され、また、端子本体の後段に穿孔が設けられ、且つプラスチック材料が端子本体後段の穿孔に充填され、並びに端子本体後段表面を被覆し、乾燥固化後に安定した結合を形成した防水強化の絶縁端子において、
該絶縁層に端子本体の後段に対応し、少なくとも二つの離間した第１リブと第２リブが形成され、第１リブと第２リブの間に、少なくとも一つの凹んだネック溝が形成され、第１リブと第２リブとネック溝の外縁に、水分の外部からのしみ込みを防止する曲折経路が形成されたことを特徴とする、防水強化の絶縁端子としている。
【考案の効果】
【０００７】
１．本考案の絶縁層は端子本体の後段に対応して少なくとも二つの離間した第１リブと第２リブが形成され、且つ第１リブと第２リブの間に、少なくとも一つの凹んだネック溝が画定され、第１リブ、第２リブとネック溝の外縁に、水分の外部からの侵入を防止する曲折経路が形成され、並びに二つの凸縁の重複を利用して綿密な隔離が形成されて水のしみ込み防止強化の安全効果が達成されている。
２．本考案はプラスチック材料が乾燥固化後に穿孔を強力に保持し、絶縁層を立体空間形態で本考案の端子本体と一体に結合し、密着性は良好で、更に水のしみ込みを防止する綿密な防護が形成されている。
３．本考案は水のしみ込み防止の設計を除き、自身もまた端子本体が必要とする絶縁層を具え、これにより、プラグ使用者は手指で端子本体の後段部に接触可能で、本考案により感電防止の安全防護が形成される。
【０００８】
総合すると、本考案は実用効果を具備し、且つ未だ刊行物への記載或いは公開使用がなく、実用新案登録の要件に符合する。
【考案を実施するための最良の形態】
【０００９】
図２に併せて図３を参照されたい。本考案は一種の防水強化の絶縁端子を提供し、該絶縁端子２は、端子本体２１、絶縁層２２を具えている。
【００１０】
該端子本体２１は金属材料で形成され、導電特性を具えている。該端子本体２１は図４に示されるように、後に述べる絶縁層２２の被覆程度により前段２１１と後段２１２に画定され、また、後段２１２より後方に向けて圧線段２１３が延伸されて電線の圧着と挟持巻き付けに供される。即ち絶縁層２２で被覆された段部は後段２１２とされ、絶縁層２２で被覆されない金属露出段は前段２１１と画定される。また、図２に示されるように、端子本体２１の後段に穿孔２１４が設けられている。
【００１１】
該絶縁層２２は乾燥固化前のプラスチック材料が溶融状態で、端子本体２１の後段２１２の穿孔２１４に充填され、並びに端子本体２１の後段２１２表面を被覆し、乾燥固化後に端子本体２１と安定した結合を形成する。プラスチック材料は乾燥固化後に立体空間形態で穿孔２１４を保持し、且つこの保持は侵入式に端子本体２１を保持し結合し、絶縁層２２を断裂させなければ脱出せず、安全で強固な結合を形成する。
【００１２】
本考案の主要な特色は以下のとおりである。絶縁層２２の端子本体２１の後段２１２に対応して少なくとも二つの離間した第１リブ２２１と第２リブ２２２が形成され、第１リブ２２１と第２リブ２２２の間に少なくとも一つの凹んだネック溝２２３が形成され、該第１リブ２２１と該第２リブ２２２とネック溝２２３の外縁に、共同で曲折経路が形成される。
【００１３】
図５、６に示されるように、本考案は第１種の二極プラグ３、及び第２種の三極プラグ４に運用可能である。
【００１４】
以上は本考案の産業上の好ましい実施例であって、本考案の請求項の範囲の記載に基づきなしうる等しい効果をもたらす変化はいずれも本考案の請求範囲内に属する。
【図面の簡単な説明】
【００１５】
【図１】従来の技術の立体分解図である。
【図２】本考案の実施例の絶縁端子の立体図である。
【図３】本考案の実施例の絶縁端子の平面図である。
【図４】本考案の実施例の絶縁端子の側面図である。
【図５】本考案の二極プラグへの運用の使用状態立体図である。
【図６】本考案の三極プラグへの運用の使用状態立体図である。
【符号の説明】
【００１６】
１  絶縁端子
１１  端子本体
１２  保護スリーブ
１２１  中空部
２  絶縁端子
２１  端子本体
２１１  前段
２１２  後段
２１３  圧線段
２１４  穿孔
２２  絶縁層
２２１  第１リブ
２２２  第２リブ
２２３  ネック溝
３  二極プラグ
４  三極プラグ
【図１】
0003113104.tif 000003
【図２】
0003113104.tif 000004
【図３】
0003113104.tif 000005
【図４】
0003113104.tif 000006
【図５】
0003113104.tif 000007
【図６】
0003113104.tif 000008